(57)【要約】【課題】ランニングコストを抑えた上で、待機位置でのロータリフレームの自転が抑制される画像形成装置を得る。【解決手段】ロータリフレーム１５に装填される各色の現像器１８に装着されたトナーカートリッジの中で、黒トナー用のトナーカートリッジ１７Ｋのみが他のトナーカートリッジより大きくなっているため、ロータリフレーム１５の回転方向のバランスが崩れてしまう。ここで、他の周辺部品に比べて重い現像ロール１９をロータリフレーム１５の回転軸方向からみて回転中心Ａを基準に左右にバランスよく配置することでロータリフレーム１５の回転方向のバランスが安定し、待機位置におけるロータリフレーム１５の自転が抑制される。【選択図】図１
2007121519.tif 000002
【特許請求の範囲】
【請求項１】
画像形成装置本体に回転可能に取付けられ、非作動時には待機位置で待機する回転体と、
前記回転体の周方向に沿って一部もしくは全部が異なる間隔で装填され、感光体に各色のトナー画像を形成する複数の現像器と、
前記回転体を回転させ、前記現像器に設けられた現像ローラを順に前記感光体の現像位置へ移動させる駆動手段と、
を備える画像形成装置において、
前記回転体を回転軸方向から見て、前記回転体の回転中心と前記現像ローラの回転中心を結ぶ線と、隣接する前記現像ローラの回転中心と前記回転体の回転中心を結ぶ線とが描く角度を開き角とすると、一番大きい開き角の二等分線が装置の垂直上方向と±３０°以内となるように前記回転体を待機させることを特徴とする画像形成装置。
【請求項２】
黒色トナー画像を形成する現像器が他の現像器より大きく設けられ、一番大きい開き角を形成する一方の現像器が感光体に黒色トナー画像を形成する現像器であることを特徴とする請求項１に記載の画像形成装置。
【請求項３】
前記現像器に補給用トナーを補給する各色に対応したトナーカートリッジが前記現像器に装着されていることを特徴とする請求項１又は２に記載の画像形成装置。
【請求項４】
黒色トナーを補給するトナーカートリッジが、他の色のトナーカートリッジより重いことを特徴とする請求項３に記載の画像形成装置。
【請求項５】
画像形成装置本体に回転可能に取付けられ、非作動時には待機位置で待機する回転体と、
前記回転体の周方向に沿って異なる間隔で装填され、感光体に各色のトナー画像を形成する複数の現像器と、
前記回転体を回転させ、前記現像器に設けられた現像ローラを順に前記感光体の現像位置へ移動させる駆動手段と、
を備える画像形成装置において、
前記駆動手段によって回転される方向とは逆方向の前記回転体の回転を防止する回転防止部材が設けられ、前記回転体を回転軸方向から見て、前記回転体の回転中心と前記現像ローラの回転中心を結ぶ線と、隣接する前記現像ローラの回転中心と前記回転体の回転中心を結ぶ線とが描く角度を開き角とすると、一番大きい開き角の二等分線を装置の垂直線より傾けることにより、前記回転体を前記駆動手段によって回転される方向とは逆方向に自転しようとする位置に待機させることを特徴とする画像形成装置。
【請求項６】
前記回転防止部材は、前記回転体の回転軸に設けられることを特徴とする請求項５に記載の画像形成装置。
【請求項７】
前記回転体と従動回転する従動回転体が設けられ、前記回転防止部材は、前記従動回転体の回転軸に設けられることを特徴とする請求項５に記載の画像形成装置。
【請求項８】
前記回転防止部材は、前記駆動手段に設けられることを特徴とする請求項５に記載の画像形成装置。
【請求項９】
一番大きい開き角を形成する一方の現像器が感光体に黒色トナー画像を形成する現像器であることを特徴とする請求項５乃至請求項８の何れか一項に記載の画像形成装置。
【請求項１０】
前記現像器に補給用トナーを補給する各色に対応したトナーカートリッジが前記現像器に装着されていることを特徴とする請求項５乃至請求項９の何れか一項に記載の画像形成装置。
【請求項１１】
黒色トナーを補給するトナーカートリッジが、他の色のトナーカートリッジより重いことを特徴とする請求項５乃至請求項１０の何れか一項に記載の画像形成装置。
【請求項１２】
画像形成装置本体に回転可能に取付けられ、非作動時には待機位置で待機する回転体と、
前記回転体の周方向に沿って異なる間隔で装填され、感光体に各色のトナー画像を形成する複数の現像器と、
前記回転体を回転させ、前記現像器に設けられた現像ローラを順に前記感光体の現像位置へ移動させる駆動手段と、
を備える画像形成装置において、
前記回転体の回転トルクを増加させるトルク増加部材が設けられたことを特徴とする画像形成装置。
【請求項１３】
前記トルク増加部材は、前記回転体の回転軸に設けられることを特徴とする請求項１２に記載の画像形成装置。
【請求項１４】
前記回転体と従動回転する従動回転体が設けられ、前記トルク増加部材は、前記従動回転体の回転軸に設けられることを特徴とする請求項１２に記載の画像形成装置。
【請求項１５】
前記トルク増加部材は、前記駆動手段に設けられることを特徴とする請求項１２に記載の画像形成装置。
【請求項１６】
一番大きい開き角を形成する一方の現像器が感光体に黒色トナー画像を形成する現像器であることを特徴とする請求項１２乃至請求項１５の何れか一項に記載の画像形成装置。
【請求項１７】
前記現像器に補給用トナーを補給する各色に対応したトナーカートリッジが前記現像器に装着されていることを特徴とする請求項１２乃至請求項１６の何れか一項に記載の画像形成装置。
【請求項１８】
黒色トナーを補給するトナーカートリッジが、他の色のトナーカートリッジより重いことを特徴とする請求項１２乃至請求項１７の何れか一項に記載の画像形成装置。
【発明の詳細な説明】
【技術分野】
【０００１】
本発明は、複数の現像器が装填された回転体を備えた画像形成装置に関する。
【背景技術】
【０００２】
画像形成装置には、各色毎に現像器とそれに付随する補給用現像剤カートリッジ（トナーカートリッジ）が環状像形成ユニット群（回転体）に備えられたものがある。（特許文献１）
各色毎に設けられた補給用現像剤カートリッジのなかでも、黒色用の補給用現像剤カートリッジの容量が他の色（イエロー、マゼンタ、シアン）の補給用現像剤カートリッジの容量より大きくなっている。
【０００３】
使用回数が多く必然的にトナー消費が多くなる黒色用の補給用現像剤カートリッジの容量を大きくすることにより、定期的なサービスマン等による新たな補給用現像剤カートリッジの交換回数が少なくなりランニングコストが低減されている。
【特許文献１】特開２００４−２８００７２公報
【発明の開示】
【発明が解決しようとする課題】
【０００４】
しかしながら、この回転体（環状像形成ユニット群）では、黒色用のトナーカートリッジ（補給用現像剤カートリッジ）の容量を大きくすることで、回転方向のバランスが崩れてしまう。これにより、非作動時における待機位置で回転体が自転してしまい、待機位置がずれる場合がある。
【０００５】
このように、待機位置がずれてしまうと、次の作動時にはそのずれた位置を基準として作動を開始してしまうため、感光体上の静電潜像を現像する停止位置が安定しなくなりトナー画像の不良が発生する。
【０００６】
そこで、回転体の待機位置が自転によってずれないように、回転体を回転させる駆動モータに励磁電流を流し駆動モータをロックする方法がある。しかし、この方法では、ランニングコストが発生してしまう。
【０００７】
本発明は、上記事実を考慮し、ランニングコストを抑えた上で、待機位置での回転体の自転が抑制される画像形成装置を提供することが目的である。
【課題を解決するための手段】
【０００８】
本発明の請求項１に係る画像形成装置は、画像形成装置本体に回転可能に取付けられ、非作動時には待機位置で待機する回転体と、前記回転体の周方向に沿って一部もしくは全部が異なる間隔で装填され、感光体に各色のトナー画像を形成する複数の現像器と、前記回転体を回転させ、前記現像器に設けられた現像ローラを順に前記感光体の現像位置へ移動させる駆動手段と、を備える画像形成装置において、前記回転体を回転軸方向から見て、前記回転体の回転中心と前記現像ローラの回転中心を結ぶ線と、隣接する前記現像ローラの回転中心と前記回転体の回転中心を結ぶ線とが描く角度を開き角とすると、一番大きい開き角の二等分線が装置の垂直上方向と±３０°以内となるように前記回転体を待機させることを特徴とする。
【０００９】
上記構成によれば、待機位置で待機している回転体が駆動手段によって回転させられ、回転体に装填された各色の現像器に設けられた現像ロールは順に感光体の現像位置へ移動して停止し、感光体にトナー画像を形成する。
【００１０】
また、現像器は、回転体の周方向に沿って異なる間隔で回転体に装填されているため、回転体の回転方向のバランスが崩れてしまう。従って、待機位置によっては駆動系モータのディテントトルクを超えてしまい回転体が自転してしまう。
【００１１】
ここで、回転体を回転軸方向から見て、回転体の回転中心と現像ローラの回転中心を結ぶ線と、隣接する現像ローラの回転中心と回転体の回転中心を結ぶ線とが描く角度を開き角とすると、一番大きい開き角の二等分線が垂直となるように回転体を待機させる。これにより、他の周辺部品に比べて重い現像ロールが回転体軸方向からみて回転中心を基準に左右にバランスよく位置し、回転体の回転方向のバランスが安定し、待機位置における回転体の自転が抑制される。
【００１２】
従って、ランニングコストを抑えた上で、待機位置での回転体の自転が抑制される。
【００１３】
本発明の請求項２に係る画像形成装置は、請求項１記載において、黒色トナー画像を形成する現像器が他の現像器より大きく設けられ、一番大きい開き角を形成する一方の現像器が感光体に黒色トナー画像を形成する現像器であることを特徴とする。
【００１４】
上記構成によれば、使用回数が多く必然的にトナー消費が多くなる黒色トナー画像を形成する現像器が他の現像器より大きく設けられているため、一番大きい開き角を形成する一方の現像器が感光体に黒色トナー画像を形成する現像器となっている。
【００１５】
従って、トナー消費が多くなる黒色用の現像器が大きいときでも、ランニングコストを抑えた上で、待機位置での回転体の自転が効果的に抑制される。
【００１６】
本発明の請求項３に係る画像形成装置は、請求項１又は２記載において、前記現像器に補給用トナーを補給する各色に対応したトナーカートリッジが前記現像器に装着されていることを特徴とする。
【００１７】
上記構成によれば、現像器に補給用トナーを補給する各色に対応したトナーカートリッジが現像器に装着されている。
【００１８】
従って、この補給用トナーカートリッジの大きさが各色毎に違っても、待機位置での回転体の自転が確実に抑制される。
【００１９】
本発明の請求項４に係る画像形成装置は、請求項３記載において、黒色トナーを補給するトナーカートリッジが、他の色のトナーカートリッジより重いことを特徴とする。
【００２０】
上記構成によれば、使用回数が多く必然的にトナー消費が多くなる黒色用のトナーカートリッジが、他の色のトナーカートリッジより重くなっている。
【００２１】
従って、トナー消費が多くなる黒色用のトナーカートリッジが重いときでも、ランニングコストを抑えた上で、待機位置での回転体の自転が効果的に抑制される。
【００２２】
本発明の請求項５に係る画像形成装置は、画像形成装置本体に回転可能に取付けられ、非作動時には待機位置で待機する回転体と、前記回転体の周方向に沿って異なる間隔で装填され、感光体に各色のトナー画像を形成する複数の現像器と、前記回転体を回転させ、前記現像器に設けられた現像ローラを順に前記感光体の現像位置へ移動させる駆動手段と、を備える画像形成装置において、前記駆動手段によって回転される方向とは逆方向の前記回転体の回転を防止する回転防止部材が設けられ、前記回転体を回転軸方向から見て、前記回転体の回転中心と前記現像ローラの回転中心を結ぶ線と、隣接する前記現像ローラの回転中心と前記回転体の回転中心を結ぶ線とが描く角度を開き角とすると、一番大きい開き角の二等分線を装置上方向の垂直線より傾けることにより、前記回転体を前記駆動手段によって回転される方向とは逆方向に自転しようとする位置に待機させることを特徴とする。
【００２３】
上記構成によれば、待機位置で待機している回転体が駆動手段によって回転させられ、回転体に装填された各色の現像器に設けられた現像ロールは順に感光体の現像位置へ移動して停止し、感光体にトナー画像を形成する。
【００２４】
また、現像器は、回転体の周方向に沿って異なる間隔で回転体に装填されているため、回転体の回転方向のバランスが崩れてしまう。これにより、非作動時に待機位置で待機する回転体が駆動系のモータのディテントトルクを超えてしまい自転してしまい、回転体が所定の待機位置からずれそうになる。
【００２５】
ここで、他の周辺部品に比べて重い現像ロールが回転体軸方向からみて回転中心を基準に左右にバランスを取ろうとして駆動手段によって回転される方向とは逆方向に自転するように、一番大きい開き角の二等分線が装置上方向の垂直線より傾けられている。これにより、回転体は、駆動手段によって回転される方向とは逆方向に自転しようとするが、回転防止部材によって自転は抑制される。
【００２６】
従って、積極的に回転防止が回転を防止する方向に自転しようとする力を利用することで、待機位置で確実に回転体を停止させることができる。
【００２７】
本発明の請求項６に係る画像形成装置は、請求項５記載において、前記回転防止部材は、前記回転体の回転軸に設けられることを特徴とする。
【００２８】
上記構成によれば、回転防止部材は、回転体の回転軸に設けるため、別途、回転防止部材を取り付けるスペースを必要としない。
【００２９】
本発明の請求項７に係る画像形成装置は、請求項５記載において、前記回転体と従動回転する従動回転体が設けられ、前記回転防止部材は、前記従動回転体の回転軸に設けられることを特徴とする。
【００３０】
上記構成によれば、回転防止部材は、回転体と従動回転する従動回転体の回転軸に設けられているため、回転軸に設けるより、大きなブレーキ力を発揮できる。
【００３１】
本発明の請求項８に係る画像形成装置は、請求項５記載において、前記回転防止部材は、前記駆動手段に設けられることを特徴とする。
【００３２】
上記構成によれば、回転防止部材は、駆動手段に設けられているため、回転軸に設けるより、大きなブレーキ力を発揮でき、さらに、別途、回転防止部材を取り付けるスペースを必要としない。
【００３３】
本発明の請求項９に係る画像形成装置は、請求項５乃至８の何れか一項に記載において、一番大きい開き角を形成する一方の現像器が感光体に黒色トナー画像を形成する現像器であることを特徴とする。
【００３４】
上記構成によれば、使用回数が多く必然的にトナー消費が多くなる黒色トナー画像を形成する現像器が他の現像器より大きく設けられているため、一番大きい開き角を形成する一方の現像器が感光体に黒色トナー画像を形成する現像器となっている。
【００３５】
従って、トナー消費が多くなる黒色用の現像器が大きいときでも、ランニングコストを抑えた上で、待機位置での回転体の自転が効果的に抑制される。
【００３６】
本発明の請求項１０に係る画像形成装置は、請求項５乃至９の何れか一項に記載において、前記現像器に補給用トナーを補給する各色に対応したトナーカートリッジが前記現像器に装着されていることを特徴とする。
【００３７】
上記構成によれば、現像器に補給用トナーを補給する各色に対応したトナーカートリッジが現像器に装着されている。
【００３８】
従って、この補給用トナーカートリッジの大きさが各色毎に違っても、待機位置での回転体の自転が確実に抑制される。
【００３９】
本発明の請求項１１に係る画像形成装置は、請求項５乃至１０の何れか一項に記載において、黒色トナーを補給するトナーカートリッジが、他の色のトナーカートリッジより重いことを特徴とする。
【００４０】
上記構成によれば、使用回数が多く必然的にトナー消費が多くなる黒色用のトナーカートリッジが、他の色のトナーカートリッジより重くなっている。
【００４１】
従って、トナー消費が多くなる黒色用のトナーカートリッジが重いときでも、ランニングコストを抑えた上で、待機位置での回転体の自転が効果的に抑制される。
【００４２】
本発明の請求項１２に係る画像形成装置は、画像形成装置本体に回転可能に取付けられ、非作動時には待機位置で待機する回転体と、前記回転体の周方向に沿って異なる間隔で装填され、感光体に各色のトナー画像を形成する複数の現像器と、前記回転体を回転させ、前記現像器に設けられた現像ローラを順に前記感光体の現像位置へ移動させる駆動手段と、を備える画像形成装置において、前記回転体の回転トルクを増加させるトルク増加部材が設けられたことを特徴とする。
【００４３】
上記構成によれば、待機位置で待機している回転体が駆動手段によって回転させられ、回転体に装填された各色の現像器に設けられた現像ロールは順に感光体の現像位置へ移動して停止し、感光体にトナー画像を形成する。
【００４４】
また、現像器は、回転体の周方向に沿って異なる間隔で回転体に装填されているため、回転体の回転方向のバランスが崩れてしまう。これにより、非作動時に待機位置で待機する回転体が駆動系のモータのディテントトルクを超えてしまい自転してしまい、回転体が所定の待機位置からずれそうになる。
【００４５】
ここで、トルク増加部材によって自転は抑制される。
【００４６】
従って、ランニングコストを抑えた上で、待機位置での回転体の自転が抑制される。
【００４７】
本発明の請求項１３に係る画像形成装置は、請求項１２記載において、前記トルク増加部材は、前記回転体の回転軸に設けられることを特徴とする。
【００４８】
上記構成によれば、トルク増加部材は、回転体の回転軸に設けられているため、別途、トルク増加部材を取り付けるスペースを必要としない。
【００４９】
本発明の請求項１４に係る画像形成装置は、請求項１２記載において、前記回転体と従動回転する従動回転体が設けられ、前記トルク増加部材は、前記従動回転体の回転軸に設けられることを特徴とする。
【００５０】
上記構成によれば、トルク増加部材は、回転体と従動回転する従動回転体の回転軸に設けられているため、回転軸に設けるより、大きなブレーキ力を発揮できる。
【００５１】
本発明の請求項１５に係る画像形成装置は、請求項１２記載において、前記トルク増加部材は、前記駆動手段に設けられることを特徴とする。
【００５２】
上記構成によれば、トルク増加部材は、駆動手段に設けられているため、回転軸に設けるより、大きなブレーキ力を発揮でき、さらに、別途、トルク増加部材を取り付けるスペースを必要としない。
【００５３】
本発明の請求項１６に係る画像形成装置は、請求項１２乃至１５の何れか一項に記載において、一番大きい開き角を形成する一方の現像器が感光体に黒色トナー画像を形成する現像器であることを特徴とする。
【００５４】
上記構成によれば、使用回数が多く必然的にトナー消費が多くなる黒色トナー画像を形成する現像器が他の現像器より大きく設けられているため、一番大きい開き角を形成する一方の現像器が感光体に黒色トナー画像を形成する現像器となっている。
【００５５】
従って、トナー消費が多くなる黒色用の現像器が大きいときでも、ランニングコストを抑えた上で、待機位置での回転体の自転が効果的に抑制される。
【００５６】
本発明の請求項１７に係る画像形成装置は、請求項１２乃至１６の何れか一項に記載において、前記現像器に補給用トナーを補給する各色に対応したトナーカートリッジが前記現像器に装着されていることを特徴とする。
【００５７】
上記構成によれば、現像器に補給用トナーを補給する各色に対応したトナーカートリッジが現像器に装着されている。
【００５８】
従って、この補給用トナーカートリッジの大きさが各色毎に違っても、待機位置での回転体の自転が確実に抑制される。
【００５９】
本発明の請求項１８に係る画像形成装置は、請求項１２乃至１７の何れか一項に記載において、黒色トナーを補給するトナーカートリッジが、他の色のトナーカートリッジより重いことを特徴とする。
【００６０】
上記構成によれば、使用回数が多く必然的にトナー消費が多くなる黒色用のトナーカートリッジが、他の色のトナーカートリッジより重くなっている。
【００６１】
従って、トナー消費が多くなる黒色用のトナーカートリッジが重いときでも、ランニングコストを抑えた上で、待機位置での回転体の自転がさらに効果的に抑制される。
【発明の効果】
【００６２】
本発明の画像形成装置によれば、ランニングコストを抑えた上で、待機位置での回転体の自転が抑制される。
【発明を実施するための最良の形態】
【００６３】
本発明の画像形成装置の第１実施形態を図１〜３に従って説明する。
【００６４】
図３は本発明の第１実施形態に係る画像形成装置の一例であるフルカラープリンタ１０の要部構成図である。同図において、トナー画像が形成される感光体１２の周囲には、帯電装置つまり帯電ロール（ＢＣＲ）１４、露光装置（ＲＯＳ）１６、回転体としてのロータリフレーム１５、第１次転写器つまり第１次ＢＴＲ２０、及びクリーナ装置２２が配置されている。
【００６５】
ロータリフレーム１５にはフルカラー現像のための４台の現像器１８Ｙ、１８Ｍ、１８Ｃ、１８Ｋ（イエロ（Ｙ）、マゼンタ（Ｍ）、シアン（Ｃ）、クロ（Ｋ））が装填されている。これらの４台の現像器１８Ｙ、１８Ｍ、１８Ｃ、１８Ｋには、各現像器１８に補給用トナーを補給する各色に対応したトナーカートリッジ１７Ｙ、１７Ｍ、１７Ｃ、１７Ｋが装着されている。また、このロータリフレーム１５は、非作動時には後述する待機位置で待機する構成となっている。
【００６６】
現像器１８Ｙ、１８Ｍ、１８Ｃ、１８Ｋは、感光体１２上の潜像をそれぞれイエロ（Ｙ）、マゼンタ（Ｍ）、シアン（Ｃ）、クロ（Ｋ）のトナーで現像する。
【００６７】
各色のトナーを現像する際には、駆動モータ２４（図２参照）によってロータリフレーム１５が矢印Ａ方向に回転させられ、当該色の現像器１８に設けられた現像ロール１９は感光体１２の現像位置に停止される。
【００６８】
感光体１２上に現像された各色のトナー像は、第１次ＢＴＲ２０によって中間転写ベルト（以下、単に「ベルト」という）２８に順次転写されて、４色のトナー像が重ね合わされる。
【００６９】
中間転写ベルト２８はロール３０、３２、３４、３６に張架されている。
【００７０】
これらのうち、ロール３０は図示しない駆動源に結合されて中間転写ベルト２８を駆動する駆動ロールとして機能し、ロール３２はコイルスプリング３８によって中間転写ベルト側に付勢され中間転写ベルト２８の張力を調節するテンションロールとして機能し、ロール３６は第２次転写器つまり第２次ＢＴＲ４０のバックアップロールとして機能する。
【００７１】
中間転写ベルト２８を挟んでロール３０と対向する位置にはベルトクリーナ４２が設けられていて、中間転写ベルト２８上の残留トナーがクリーナブレードで掻き落とされる。
【００７２】
記録紙カセット４４から引き出しロール４６で搬送路４１に引き出された記録紙５２はロール対４８、４９によってニップ部、つまり第２次ＢＴＲ４０と中間転写ベルト２８との当接部に給送される。
【００７３】
中間転写ベルト２８上に形成されたトナー像はこのニップ部で記録紙５２上に転写され、定着装置５０で熱定着されて図示しないトレイに排出される。
【００７４】
中間転写ベルト２８に対向して図示しない反射型光センサが配置され、中間転写ベルト２８上に設けられたアルミ箔等の反射部（図示せず）からの反射光を検出する。
【００７５】
反射光の検出信号はＲＯＳ１６による画像形成タイミングやトナー像の転写タイミングを制御する基準信号として利用される。
【００７６】
上記構成によるフルカラープリンタ１０では、次のようにして画像が形成される。
【００７７】
まず、ＢＣＲ１４に電圧を印加して感光体１２の表面を予定の帯電部電位で一様にマイナス帯電させる。
【００７８】
続いて、帯電された感光体１２上の画像部分が予定の露光部電位になるようにＲＯＳ１６で露光を行ない静電潜像が形成される。
【００７９】
すなわち、図示しない制御装置から供給されるビデオデータに基づき、ＲＯＳ１６をオン・オフすることによって画像に対応した潜像が感光体１２上に形成される。
【００８０】
現像器１８Ｙ等が装填されたロータリフレーム１５は、駆動モータ２４（図２参照）によって矢印Ａ方向に回転させられ、当該色の現像ロール１９は感光体１２の現像位置に停止される。
【００８１】
現像ロール１９には各色毎に予め設定された現像バイアスが印加されており、潜像は現像ロール１９の位置を通過時にトナーで現像され、トナー像として可視化される。
【００８２】
トナー像は第１次ＢＴＲ２０で中間転写ベルト２８に転写され、さらに第２次ＢＴＲ４０で記録紙５２に転写された後、トナー像が転写された記録紙５２が定着装置５０に送給される。
【００８３】
また、フルカラープリント時はベルト上で４色のトナーが重ね合わされた後、記録紙５２に転写される。
【００８４】
感光体１２上に残留したトナーはクリーナ装置２２で除去されて回収され、最後に、感光体１２は図示しない除電装置で一様に０ボルト付近まで除電されて、次の画像形成サイクルに備える。
（これより要部）
次に、ロータリフレーム１５に装填された現像器１８及び現像器１８に装着されたトナーカートリッジ１７等の構成について詳細に説明する。
【００８５】
図１に示されるように、ロータリフレーム１５には、４台の現像器１８Ｙ、１８Ｍ、１８Ｃ、１８Ｋが装填されている。また、現像器１８Ｙ、１８Ｍ、１８Ｃ、１８Ｋには、補給用トナーを補給する各色に対応したトナーカートリッジ１７Ｙ、１７Ｍ、１７Ｃ、１７Ｋが装着されている。ここで、使用回数が多く必然的にトナー消費が多くなる黒色トナー用のトナーカートリッジ１７Ｋの容量が、他の色のトナーカートリッジより大きく設けられ、重くなっている。
【００８６】
このため、現像器１８は、ロータリフレーム１５の周方向に沿って異なる間隔で装填されている。また、ロータリフレーム１５を回転軸方向から見て、ロータリフレーム１５の回転中心Ａと現像ローラ１９の回転中心を結ぶ線と、隣接する現像ローラ１９の回転中心とロータリフレーム１５の回転中心Ａとが描く角度を開き角とすると、一番大きい開き角は黒色用の現像ローラ１９Ｋと黄色用の現像ローラ１９Ｙとからなる開き角（図１に示すＢ角）となる。
【００８７】
さらに、一番大きい開き角（図１に示すＢ角）の二等分線（図１に示すＣ線）が装置上方向垂直となるようにロータリフレーム１５は、待機位置で待機している。これにより、他の周辺部品に比べて重い現像ロール１９がロータリフレーム１５の回転軸方向からみて回転中心Ａを基準に左右にバランスよく配置されることでロータリフレーム１５の回転方向のバランスが安定し、待機位置におけるロータリフレーム１５の自転が抑制されている。
【００８８】
次に、ロータリフレーム１５に装填された現像器１８及び現像器１８に装着されたトナーカートリッジ１７等の作用について詳細に説明する。
【００８９】
ロータリフレーム１５に装填される各色の現像器１８に装着されたトナーカートリッジの中で、黒色トナー用のトナーカートリッジ１７Ｋの容量が、他の色のトナーカートリッジより大きく設けられ、重くなっている。このため、現像器１８は、ロータリフレーム１５の周方向に沿って異なる間隔で装填され、ロータリフレーム１５の回転方向のバランスが崩れてしまう。
【００９０】
これにより、待機位置によっては、ロータリフレーム１５が自転してしまい、ロータリフレーム１５の待機位置がずれそうになる。
【００９１】
ここで、一番大きい開き角（図１に示すＢ角）の二等分線（図１に示すＣ線）を装置上方向垂直となるようにロータリフレーム１５を配置することで、他の周辺部品に比べて重い現像ロール１９が回転中心Ａを基準に左右にバランスよく配置され、ロータリフレーム１５の自転が抑制されている。
【００９２】
従って、ランニングコストを抑えた上で、待機位置でのロータリフレーム１５の自転が抑制される。
【００９３】
次に本発明の画像形成装置の第２実施形態を図４、５に従って説明する。
【００９４】
なお、第１実施形態と同一部材については、同一符号を付してその説明を省略する。
【００９５】
図４に示されるように、この実施形態では第１実施形態のように、一番大きい開き角（図４に示すＢ角）の二等分線（Ｃ線）が垂直になるように、ロータリフレーム１５は待機しておらず、二等分線（Ｃ線）が垂直線より傾けられ、ロータリフレーム１５は、駆動モータによって回転されるＡ方向とは逆方向であるＥ方向に自転するように待機している。
【００９６】
また、図５に示されるように、画像形成装置の骨格部材６０に取り付けられたロータリフレーム１５の回転軸には、矢印Ｅ方向（図４参照）に回転するのを防止する回転防止部材である一方向クラッチ６２が設けられている。
【００９７】
これにより、待機位置でのロータリフレーム１５は、図４に示す矢印Ｅ方向に自転しようとするが、図５に示す一方向クラッチ６２によって自転は抑制される。
【００９８】
従って、中立位置ではなくて、積極的に一方向クラッチ６２が回転を防止する方向に自転しようとする力を利用することで、待機位置で確実にロータリフレーム１５を停止させることができる。
【００９９】
次に本発明の画像形成装置の第３実施形態を図６、７に従って説明する。
【０１００】
なお、第２実施形態と同一部材については、同一符号を付してその説明を省略する。
【０１０１】
図６に示されるように、この実施形態では第２実施形態のように、ロータリフレーム１５の回転軸に一方向クラッチ６２（図５参照）は設けられておらず、それに代えて、図６、７に示されるように、ロータリフレーム１５と従動回転する従動回転体である従動ギア６４が設けられ、この従動ギア６４の回転軸にロータリフレーム１５が矢印Ｅ方向に回転するのを防止する回転防止部材である一方向クラッチ６２が設けられている。
【０１０２】
これにより、待機位置でのロータリフレーム１５は、図７に示す矢印Ｅ方向に自転しようとするが、図６に示す一方向クラッチ６２によって自転は抑制される。
【０１０３】
従って、一方向クラッチ６２をロータリフレーム１５の回転軸に設けるより、大きなブレーキ力を発揮できる。
【０１０４】
次に本発明の画像形成装置の第４実施形態を図８に従って説明する。
【０１０５】
なお、第３実施形態と同一部材については、同一符号を付してその説明を省略する。
【０１０６】
図８に示されるように、この実施形態では第３実施形態のように、従動ギア６４の回転軸には一方向クラッチ６２（図６参照）が設けられておらず、それに代えて、駆動モータ２４の回転軸にロータリフレーム１５が矢印Ｅ方向（図７参照）に回転するのを防止する回転防止部材である一方向クラッチ６２が設けられている。
【０１０７】
これにより、待機位置でのロータリフレーム１５は、自転しようとするが、一方向クラッチ６２によって自転は抑制される。
【０１０８】
従って、別途、従動ギアを取り付けるスペースを必要としない。
【０１０９】
次に本発明の画像形成装置の第５実施形態を図９に従って説明する。
【０１１０】
なお、第４実施形態と同一部材については、同一符号を付してその説明を省略する。
【０１１１】
図９に示されるように、この実施形態では第４実施形態のように、駆動モータ２４の回転軸には一方向クラッチ６２が設けられておらず、ロータリフレーム１５の回転軸に、ロータリフレーム１５の回転トルクを増加させるトルク増加部材としてのトルクリミッタ６６が設けられている。また、この実施例では、待機位置におけるロータリフレーム１５の回転方向のバランスは考慮されていないため、ロータリフレーム１５は、待機位置から自転しようとする。
【０１１２】
詳細には、トルクリミッタ６６には、ロータリフレーム１５の回転軸に固定された管状の内スリーブ６６Ａと内スリーブ６６Ａの外側を覆う外スリーブ６６Ｂが備えられており、内スリーブ６６Ａと外スリーブ６６Ｂの摺動面には粘土の高いグリース６６Ｃが設けられている。この構成により、ロータリフレーム１５が回転する際には、グリース６６Ｃが抵抗となりロータリフレーム１５の回転トルクは増加する。
【０１１３】
これにより、待機位置でのロータリフレーム１５は、自転しようとするが、図９に示すトルクリミッタ６６によって自転は抑制される。
【０１１４】
従って、ランニングコストを抑えた上で、待機位置でのロータリフレーム１５の自転が抑制される。
【０１１５】
次に本発明の画像形成装置の第６実施形態を図１０に従って説明する。
【０１１６】
なお、第５実施形態と同一部材については、同一符号を付してその説明を省略する。
【０１１７】
図１０に示されるように、この実施形態では第５実施形態のように、ロータリフレーム１５の回転軸に、トルク増加部材としてのトルクリミッタ６６（図９参照）が設けられておらず、それに代えて、ロータリフレーム１５と従動回転する従動回転体である従動ギア６４が設けられ、この従動ギア６４の回転軸にロータリフレーム１５の回転トルクを増加させるトルク増加部材としてのトルクリミッタ６６が設けられている。
【０１１８】
これにより、待機位置でのロータリフレーム１５は、自転しようとするが、図１０に示すトルクリミッタ６６によって自転は抑制される。
【０１１９】
従って、トルクミッタ６６をロータリフレーム１５の回転軸に設けるより、大きなブレーキ力を発揮できる。
【０１２０】
次に本発明の画像形成装置の第７実施形態を図１１に従って説明する。
【０１２１】
なお、第６実施形態と同一部材については、同一符号を付してその説明を省略する。
【０１２２】
図１１に示されるように、この実施形態では第６実施形態のように、従動ギア６４の回転軸に、トルク増加部材としてのトルクリミッタ６６が設けられておらず、それに代えて、駆動モータ２４の回転軸にロータリフレーム１５の回転トルクを増加させるトルク増加部材としてのトルクリミッタ６６が設けられている。
【０１２３】
これにより、待機位置でのロータリフレーム１５は、自転しようとするが、図１１に示すトルクリミッタ６６によって自転は抑制される。
【０１２４】
従って、別途、従動ギアを取り付けるスペースを必要としない。
【図面の簡単な説明】
【０１２５】
【図１】本発明の第１実施形態に係る画像形成装置のロータリフレームを回転軸方向から見た図である。
【図２】本発明の第１実施形態に係る画像形成装置のロータリフレーム及び駆動モータを示した斜視図である。
【図３】本発明の第１実施形態に係る画像形成装置の概略構成図である。
【図４】本発明の第２実施形態に係る画像形成装置のロータリフレームを回転軸方向から見た図である。
【図５】本発明の第２実施形態に係る画像形成装置のロータリフレームの回転軸に沿った断面図である。
【図６】本発明の第３実施形態に係る画像形成装置のロータリフレームの回転軸と従動ギアの回転軸に沿った断面図である。
【図７】本発明の第３実施形態に係る画像形成装置のロータリフレームと従動ギアを示した斜視図である。
【図８】本発明の第４実施形態に係る画像形成装置のロータリフレームの回転軸と駆動モータの回転軸に沿った断面図である。
【図９】本発明の第５実施形態に係る画像形成装置のロータリフレームの回転軸に沿った断面図である。
【図１０】本発明の第６実施形態に係る画像形成装置のロータリフレームの回転軸と従動ギアの回転軸に沿った断面図である。
【図１１】本発明の第７実施形態に係る画像形成装置のロータリフレームの回転軸と駆動モータの回転軸に沿った断面図である。
【符号の説明】
【０１２６】
１０    フルカラープリンタ（画像形成装置）
１２    感光体
１５    ロータリフレーム（回転体）
１７    トナーカートリッジ
１８    現像器
１９    現像ロール
２４    駆動モータ（駆動手段）
６２    一方向クラッチ（回転防止部材）
６４    従動ギア（従動回転体）
６６    トルクリミッタ（トルク増加部材）
【図１】
2007121519.tif 000003
【図２】
2007121519.tif 000004
【図３】
2007121519.tif 000005
【図４】
2007121519.tif 000006
【図５】
2007121519.tif 000007
【図６】
2007121519.tif 000008
【図７】
2007121519.tif 000009
【図８】
2007121519.tif 000010
【図９】
2007121519.tif 000011
【図１０】
2007121519.tif 000012
【図１１】
2007121519.tif 000013